(57)【要約】【課題】  メッセンジャーワイヤーの被覆を剥離除去せずに把持固定して、架線全体にわたる弛度調整を自由に設定でき、また架線経路の末端部、架線途中部のいずれでも使用可能にする。【解決手段】  支持柱Ｐに連繋支持する固定部材２０に移動自在に連繋する挿入把持部材１，１１から成り、挿入把持部材１は多心ドロップケーブルＣにおけるメッセンジャーワイヤーＭ面に対して食い込み状に支持する粗面を備えて、メッセンジャーワイヤーＭを挟み込む。固定部材２０と挿入把持部材１とは、挿入把持部材１を進退自在に連繋する雄ネジ状の連繋部２２を固定ナット材２３にてネジ止めして連繋する。挿入把持部材１は、ベース盤２に対してネジ止めする支持盤３との間で外面が粗面となっている銜え込み材６を備え、その粗面にてメッセンジャーワイヤーＭを食い込み固定する。【選択図】      図１
2006158102.tif 000002
【特許請求の範囲】
【請求項１】
支持柱に連繋支持される固定部材と、この固定部材に対して移動自在にして連繋される挿入把持部材とから成り、挿入把持部材は多心ドロップケーブルにおけるメッセンジャーワイヤー面に対して食い込み状に支持する粗面を備えて、メッセンジャーワイヤーを挟み込むようになっていることを特徴とするケーブル把持装置。
【請求項２】
固定部材は、支持柱に囲繞巻回して装着されるバンド金具に支持されるループ部と、挿入把持部材を進退自在に連繋する雄ネジ状の連繋部とから成り、連繋部は挿入把持部材に対して進退自在にして固定ナット材にてネジ止めさせるようにしてある請求項１に記載のケーブル把持装置。
【請求項３】
挿入把持部材は、ベース盤と、このベース盤面に対してネジ止め進退自在で、ベース盤面に向かい合い、メッセンジャーワイヤーを挿入させる挿入溝部を有する支持盤と、この支持盤をベース盤に対して進退自在にしてネジ止めさせるネジ材と、挿入溝部位置に合致してベース盤、支持盤相互の間隙内に挟持状態で係合保持され、外面が粗面となっている銜え込み材とを備えて成る請求項１または２に記載のケーブル把持装置。
【請求項４】
挿入把持部材は、ベース盤と、このベース盤面に対してネジ止め進退自在で、ベース盤面に向かい合う面が粗面である銜え込み面となっている銜え込み支持盤と、この銜え込み支持盤をベース盤に対して進退自在にしてネジ止めさせるネジ材とを備えて成る請求項１または２に記載のケーブル把持装置。
【請求項５】
ベース盤は、側面から見てほぼＬ字形を呈し、その立ち上がり部分には固定部材を挿入させる挿通孔が開穿されていて、固定部材のネジ棒状の連繋部を立ち上がり部分の表裏両面から所定の挿入長さ位置で固定ナット材にてネジ止めするようにしてある請求項３または４に記載のケーブル把持装置。
【発明の詳細な説明】
【技術分野】
【０００１】
本発明はメッセンジャーワイヤー（鋼線）、光ファイバーケーブルが多心状に一体化されている多心ドロップケーブルを架空で配線するとき、その架線の緊張、弛度を調整できると共に、架線経路の途中での持出・槍出金具による架線途中部での支持はもとより、架線経路の末端部における支持のいずれにも供用可能なケーブル把持装置に関する。
【背景技術】
【０００２】
従来から、多心ドロップケーブルを架空で配線するには、そのメッセンジャーワイヤーを光ファイバーケーブルから分離し、メッセンジャーワイヤー部分の被覆を剥離した後、その剥離したメッセンジャーワイヤー部分を挿通固定させる架線支持金具によって電柱等の支持柱に連繋固定している。こうした架線支持金具として、例えば架線経路の末端部で使用される引き留め金具は、メッセンジャーワイヤーを差入れ方向では挿入可能であるも逆の抜き出し方向へは移動不能にして挿入させる挿入筒部と、この挿入筒部に固定してあるほぼＵ字状の連繋部とから成り、この連繋部にて支持柱等に連繋固定するものとしてある。
【特許文献１】特になし
【発明の開示】
【発明が解決しようとする課題】
【０００３】
ところがこうした従来の架線支持金具によると、メッセンジャーワイヤーの被覆を剥離除去する必要があるばかりでなく、架線支持金具における挿入筒部内径がメッセンジャーワイヤーの外径に対応した一定のものであるために、異径のメッセンジャーワイヤーであると使用できない欠点がある。また挿入筒部に対する挿入は挿入可能な方向での一定方向であるために、架線支持時の全体の弛度調整が必要であるとき、緊張させる方向での調整は可能でも、これを一旦弛緩させる方向で調整することは困難である欠点がある。
【０００４】
更には架線支持に際し、その末端部の引き留め部位、架線途中部の中継部位夫々では牽引支持形態が異なるから、それらに対応した別構成の夫々の架線支持金具を従来では使用する必要があり、それらに対応した異なるものを予め用意しなければならず、面倒であり、また構造の相違から使用手順等も自ずと異なるものとなり、作業が面倒で煩わしいものである。
【０００５】
そこで本発明は叙上のような従来存した諸事情に鑑み創出されたもので、メッセンジャーワイヤーの被覆を剥離除去する必要がなく、そのままでもしっかりと把持固定できると共に、架線全体にわたる弛度調整時では緊張させるように牽引することも、弛緩させるように戻すこともいずれも自由に設定でき、また架線における末端部の引き留め形態、架線途中部の持ち出し、槍出し形態等のいずれでも使用可能であるケーブル把持装置を提供することを目的とする。
【課題を解決するための手段】
【０００６】
上述した課題を解決するため、本発明にあっては、支持柱Ｐに連繋支持される固定部材２０と、この固定部材２０に対して移動自在にして連繋される挿入把持部材１，１１とから成り、挿入把持部材１，１１は多心ドロップケーブルＣにおけるメッセンジャーワイヤーＭ面に対して食い込み状に支持する粗面を備えて、メッセンジャーワイヤーＭを挟み込むようになっていることを特徴とする。
固定部材２０は、支持柱Ｐに囲繞巻回して装着されるバンド金具Ｂに支持されるループ部２１と、挿入把持部材１，１１を進退自在に連繋する雄ネジ状の連繋部２２とから成り、連繋部２２は挿入把持部材１，１１に対して進退自在にして固定ナット材２３にてネジ止めさせるように構成することができる。
第１の挿入把持部材１は、ベース盤２と、このベース盤２面に対してネジ止め進退自在で、ベース盤２面に向かい合い、メッセンジャーワイヤーＭを挿入させる挿入溝部４を有する支持盤３と、この支持盤３をベース盤２に対して進退自在にしてネジ止めさせるネジ材５と、挿入溝部４位置に合致してベース盤２、支持盤３相互の間隙内に挟持状態で係合保持され、外面が粗面となっている銜え込み材６とを備えて構成することができる。
第２の挿入把持部材１１は、ベース盤１２と、このベース盤１２面に対してネジ止め進退自在で、ベース盤１２面に向かい合う面が粗面である銜え込み面１４となっている銜え込み支持盤１３と、この銜え込み支持盤１３をベース盤１２に対して進退自在にしてネジ止めさせるネジ材１５とを備えて構成することができる。
ベース盤２，１２は、側面から見てほぼＬ字形を呈し、その立ち上がり部分には固定部材２０を挿入させる挿通孔２Ａ，１２Ａが開穿されていて、固定部材２０のネジ棒状の連繋部２２を立ち上がり部分の表裏両面から所定の挿入長さ位置で固定ナット材２３にてネジ止めするようにして構成することができる。
【０００７】
以上のように構成された本発明に係るケーブル把持装置にあって、例えば電信柱の如き支持柱Ｐに取り付けられている固定部材２０に対して挿入把持部材１，１１が移動自在に連繋されており、この挿入把持部材１，１１に多心ドロップケーブルＣのメッセンジャーワイヤーＭが銜え込み状に固定保持されることで、固定部材２０に対する挿入把持部材１，１１の移動位置の調整でメッセンジャーワイヤーＭに対する弛度を調整させ、架線させる多心ドロップケーブルＣの光ファイバーケーブルＦを所定の緊張状態で支持させる。
メッセンジャーワイヤーＭを銜え込んだ挿入把持部材１，１１は、固定部材２０のネジ棒状の連繋部２２に固定ナット材２３を介してネジ止めされており、その固定ナット材２３の弛緩、再度のネジ込み位置の調整によって固定部材２０に対して挿入把持部材１，１１を、メッセンジャーワイヤーＭに対して所定の弛度となるように前後に移動して調整設定させる。
第１の挿入把持部材１において、ベース盤２、支持盤３をネジ材５にてネジ止めしてメッセンジャーワイヤーＭを挟み込むとき、銜え込み材６はメッセンジャーワイヤーＭ外面に食い込み状となり、メッセンジャーワイヤーＭに被覆があっても確実に銜え込む。
第２の挿入把持部材１１において、ベース盤１２、銜え込み支持盤１３をネジ材１５にてネジ止めしてメッセンジャーワイヤーＭを挟み込むとき、銜え込み支持盤１３の銜え込み面１４はメッセンジャーワイヤーＭ外面に食い込み状となり、同様にメッセンジャーワイヤーＭに被覆があっても確実に銜え込む。
【発明の効果】
【０００８】
したがって本発明によれば、多心ドロップケーブルＣによって光ファイバーケーブルＦを架空で架線支持するとき、多心ドロップケーブルＣの光ファイバーケーブルＦから分離させたメッセンジャーワイヤーＭの被覆を剥離除去する必要がなく、挿入把持部材１，１１によってそのままでもしっかりと把持固定できる。しかも、挿入把持部材１，１１によってメッセンジャーワイヤーＭが銜え込み状に固定されていることで、その挿入把持部材１，１１を移動自在に連繋している固定部材２０に対する移動調整で牽引することも、弛緩させるように戻すこともいずれも自由に変更設定できるから、架線全体にわたる弛度調整時では適宜な緊張状態で光ファイバーケーブルＦを架線できる。またその架線支持は、架線経路の末端部の引き留め形態、架線途中部の持ち出し、槍出し形態等のいずれでも使用可能であるから、取り扱いその他も面倒がなく、便利である。
【０００９】
すなわちこれは本発明において、支持柱Ｐに連繋支持される固定部材２０に対して移動自在にして連繋される挿入把持部材１，１１から成り、挿入把持部材１，１１は多心ドロップケーブルＣにおけるメッセンジャーワイヤーＭ面に対して食い込み状に支持する粗面を備えて、メッセンジャーワイヤーＭを挟み込むようになっているからであり、これによって、メッセンジャーワイヤーＭの被覆の剥離不要、その確実な銜え込み、固定部材２０に対する移動自在性による弛度調整の容易性等を得ることができる。
【００１０】
また固定部材２０は、支持柱Ｐに装着されるバンド金具Ｂに支持されるループ部２１、挿入把持部材１，１１を進退自在に連繋する連繋部２２から成り、連繋部２２は挿入把持部材１，１１に対して進退自在にして固定ナット材２３にてネジ止めされるから、その固定ナット材２３による弛緩、ネジ込み等によって、固定部材２０に対する挿入把持部材１，１１の位置の調整で、支持柱Ｐに対する挿入把持部材１，１１の牽引、離反による弛度調整を任意に行うことができる。
【００１１】
第１の挿入把持部材１は、ベース盤２と支持盤３とを向かい合わせてネジ材５にてネジ止めするとき、挿入溝部４に合致して係合配置される銜え込み材６の粗面がメッセンジャーワイヤーＭ外面に食い込み状となるから、ネジ材５によるネジ込みによってメッセンジャーワイヤーＭをしっかりと把持することができる。
【００１２】
また第２の挿入把持部材１１は、ベース盤１２と銜え込み支持盤１３とを向かい合わせてネジ材１５にてネジ止めするとき、銜え込み支持盤１３の銜え込み面１４における粗面がメッセンジャーワイヤーＭ外面に食い込み状となるから、ネジ材１５によるネジ込みによってメッセンジャーワイヤーＭをしっかりと把持することができる。
【００１３】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１４】
以下図面を参照して本発明を実施するための最良の一形態を説明すると、図１乃至図４において示される符号１は光ファイバーケーブルＦ及びメッセンジャーワイヤーＭが一体状に形成されている多心ドロップケーブルＣを架線支持するために、そのメッセンジャーワイヤーＭを銜え込み、把持する挿入把持部材であり、例えば電信柱等の支持柱Ｐに関連して固定される後述の固定部材２０に移動自在にして連繋されるものとしてある。
【００１５】
この挿入把持部材１は、ベース盤２と、このベース盤２面に対してネジ止め進退自在で、ベース盤２面に向かい合い、メッセンジャーワイヤーＭを挿入させる挿入溝部４を有する支持盤３と、この支持盤３をベース盤２に対して進退自在にしてネジ止めさせるネジ材５と、挿入溝部４位置に合致してベース盤２、支持盤３相互の間隙内に挟持状態で係合保持され、外面が粗面となっている銜え込み材６とを備えて成る。
【００１６】
ベース盤２は側面から見てほぼＬ字形を呈する適宜肉厚の例えば矩形金属板材にて形成され、その立ち上がり部分には後述する固定部材２０を挿入させる挿通孔２Ａが開穿されていて、図示のように固定部材２０のネジ棒状の連繋部２２を立ち上がり部分の表裏両面から所定の挿入長さ位置でナット止め（２３）するようになっている。また、ベース盤２の水平部分には、支持盤５をネジ止め連繋させるネジ材５を挿通ないし捩じ込ませる挿通孔２Ｂを開穿してある。
【００１７】
支持盤３は、ベース盤２における水平部分の裏面側すなわち立ち上がり部分が形成されていない側の面に向かい合うようにして配置されており、挿入溝部４は水平部分のほぼ中央位置で盤素材自体をほぼＵ字状に屈曲することで形成してある。また、この支持盤３の両側に開穿した挿通孔３Ａにネジ材５が挿通されるようにしてある。
【００１８】
ネジ材５は、ベース盤２と支持盤３とを向かい合わせた状態で両者２，３相互をネジ止めするもので、図示例にあってはボルトを支持盤３の挿通孔３Ａとベース盤２の挿通孔２Ｂとに挿通させ、ベース盤２上でナットにてネジ止めさせるものとしてある。もとより、ナットによるネジ止め位置は支持盤３裏面側であってもよく、また場合によってはいずれかの挿通孔２Ｂ，３Ａを雌ねじ孔とすることでナットを省略することもできる。
【００１９】
尚、図示を省略したが、ベース盤２に対して支持盤３を蝶番材を介して開閉自在なヒンジ構造とすることもでき、こうすることで、ネジ材５によるネジ止め部位を１ヶ所とすることができ、また両者２，３が相互に連繋されていることで部材管理を容易にすることもできる。
【００２０】
銜え込み材６は、挿入溝部４位置に合致してベース盤２、支持盤３相互間に配置され、例えば挿入溝部４の溝方向に沿ってベース盤２自体に突設状に形成した前後で対となっている係合突部２Ｃ相互間に位置決めされることで、ベース盤２にネジ止めされた支持盤３との間で脱落されることなく保持されている（図２参照）。また、この銜え込み材６自体は、外面が、メッセンジャーワイヤーＭを被覆している被覆材に食い込む粗面に形成されており、例えば所定長さ・外径を有する長雄ネジ棒材としてあり、必要があればベース盤２に溶接等によって一体状に固着されることもある。
【００２１】
そして、このような挿入把持部材１を支持柱Ｐに連繋固定させるために、挿入把持部材１を支持柱Ｐに対して接近あるいは離反調整させる固定部材２０が用意されている。この固定部材２０は、支持柱Ｐに囲繞巻回して装着されるバンド金具Ｂに支持されるループ部２１と、挿入把持部材１を進退自在に連繋する雄ネジ状の連繋部２２とから成り、図示のようにネジ部分が長いアイボルト自体によって形成してある。挿入把持部材１との連繋は、固定部材２０の連繋部２２を挿入把持部材１におけるベース盤２の立ち上がり部分に開穿されている挿通孔２Ａに挿通し、立ち上がり部分の表裏でネジ止めする固定ナット材２３との捩じ込みによるものとし、表裏の固定ナット材２３の捩じ込みあるいは弛めることに伴う固定部材２０に対する挿入把持部材１の位置設定で調整されるようにしてある。
【００２２】
次にこれの使用の一例を説明すると、図３に示すように例えば支持柱Ｐに装着したバンド金具Ｂに、架線の末端部位で引き留め形態として使用する場合であると、先ずバンド金具Ｂの連繋ピンＢ１を固定部材２０のループ部２１に挿通、係合させることで固定部材２０を介してバンド金具Ｂに取り付ける一方、多心ドロップケーブルＣにおけるメッセンジャーワイヤーＭ部分を光ファイバーケーブルＦから切り離しておく。そして、この固定部材２０の連繋部２２に連繋してある挿入把持部材１において、ベース盤２に対してネジ材５を弛めることで銜え込み材６と挿入溝部４との間に空隙を生じさせ、その空隙内にメッセンジャーワイヤーＭを挿通し（図３（ａ）参照）、次いでネジ材５を締め付けてベース盤２と支持盤３との間でメッセンジャーワイヤーＭを、銜え込み材６外面で食い込まされるようにして強制的に挟み込む（図３（ｂ）参照）。その後、図２に示すように固定部材２０の連繋部２２に挿通され、この連繋部２２にねじ込まれている固定ナット材２３の弛緩、再度のネジ込み等によってバンド金具Ｂに対する挿入把持部材１位置を適度に調整してメッセンジャーワイヤーＭの弛度を調整する（図３（ｃ）参照）。
【００２３】
また、架線途中での持ち出し、槍出し形態で多心ドロップケーブルＣを挟持、保持する場合であると、図４に示すように例えば支持柱Ｐに装着したバンド金具Ｂに、架線経路中に突出配置状態で固定される支持アームＡにおける連繋ピンＢ１に固定部材２０を同様に連繋しておく。そして支持アームＡに対してこの支持アームＡが架線を中継支持するように、多心ドロップケーブルＣにおける光ファイバーケーブルＦを架線挿通させる一方、そのメッセンジャーワイヤーＭを上記と同様に、これが銜え込み材６外面で食い込まされるようにして強制的にベース盤２と支持盤３との間で、ネジ材５をネジ込むことで挟み込み、固定支持する。
【００２４】
更には図５乃至図８には別の実施の形態が示されている。すなわち、この実施の形態において図中の符号１１は挿入把持部材であり、この挿入把持部材１１は、ベース盤１２と、このベース盤１２面に対してネジ止め進退自在で、ベース盤１２面に向かい合う面が粗面である銜え込み面１４となっている銜え込み支持盤１３と、この銜え込み支持盤１３をベース盤１２に対して進退自在にしてネジ止めさせるネジ材１５とを備えて成る。
【００２５】
ベース盤１２は側面から見てほぼＬ字形を呈する適宜肉厚の例えば矩形金属板材にて形成され、その立ち上がり部分には固定部材２０を挿入させる挿通孔１２Ａが開穿されていて、図示のように固定部材２０のネジ棒状の連繋部２２を立ち上がり部分の表裏両面から所定の挿入長さ位置でナット止め（２３）するようになっている。また、ベース盤１２の水平部分には、銜え込み支持盤１３をネジ止め連繋させるネジ材１５を挿通させる挿通孔１２Ｂを前後左右の計４ヶ所で開穿してある。
【００２６】
銜え込み支持盤１３は、ベース盤１２における水平部分の裏面側すなわち立ち上がり部分が形成されていない側の面に向かい合うようにして配置されており、銜え込み面１４は、そのベース盤１２に向かい合う面に形成されている。この銜え込み面１４は例えば三角波形の凹凸面とし、メッセンジャーワイヤーＭを銜え込む方向に対して直交するような並行状にしたり、交差状にしたり等にして配列されている。
【００２７】
ネジ材１５は、ベース盤１２と銜え込み支持盤１３とを向かい合わせた状態で両者１２，１３相互をネジ止めするもので、図示例にあってはベース盤１２に挿通させたネジ材１５を銜え込み支持盤１３に開穿された雌ネジ状の挿通孔１３Ａにネジ込むようにしてある（図６参照）。もとより、ボルト・ナットによるネジ止め手段によることも可能であり、その場合には挿通孔１２Ａ，１３Ａのいずれも透孔状とされ、ベース盤１２、銜え込み支持盤１３のいずれかから挿通されたネジ材１５が他方の裏面でナット止めされるものとする。
【００２８】
尚、固定部材２０は先の実施の形態におけるものと同一なので、同一部分には同一符号を付すことでその説明は省略する。
【００２９】
次にこれの使用の一例を説明すると、図７に示すように例えば支持柱Ｐに装着したバンド金具Ｂに、架線の末端部位で引き留め形態として使用する場合であると、先ずバンド金具Ｂの連繋ピンＢ１を固定部材２０のループ部２１に挿通、係合させることで固定部材２０を介してバンド金具Ｂに取り付ける一方、多心ドロップケーブルＣにおけるメッセンジャーワイヤーＭ部分を光ファイバーケーブルＦから切り離しておく。そして、この固定部材２０の連繋部２２に連繋してある挿入把持部材１１において、ベース盤１２に対してネジ材１５を弛めることで銜え込み支持盤１３との間に空隙を生じさせ、その空隙内にメッセンジャーワイヤーＭを挿通し、次いでネジ材１５を締め付けてベース盤１２と銜え込み支持盤１３との間でメッセンジャーワイヤーＭを、銜え込み面１４で食い込まされるようにして強制的に挟み込む。その後、図６に示すように固定部材２０の連繋部２２に挿通され、この連繋部２２にねじ込まれている固定ナット材２３の弛緩、再度のネジ込み等によってバンド金具Ｂに対する挿入把持部材１１位置を適度に調整してメッセンジャーワイヤーＭの弛度を調整する。
【００３０】
また、架線途中での持ち出し、槍出し形態で多心ドロップケーブルＣを挟持、保持する場合であると、図８に示すように例えば支持柱Ｐに装着したバンド金具Ｂに、架線経路中に突出配置状態で固定される支持アームＡにおける連繋ピンＢ１に固定部材２０を同様に連繋しておく。そして支持アームＡに対してこの支持アームＡが架線を中継支持するように、多心ドロップケーブルＣにおける光ファイバーケーブルＦを架線挿通させる一方、そのメッセンジャーワイヤーＭを上記と同様に、これが銜え込み支持盤１３における銜え込み面１４で食い込まされるようにして強制的にベース盤１２と銜え込み支持盤１３との間で、ネジ材１５をネジ込むことで挟み込み、固定支持する。
【図面の簡単な説明】
【００３１】
【図１】本発明を実施するための最良の形態を示す分解斜視図である。
【図２】同じくケーブルの把持、使用状態を示す側断面図である。
【図３】同じく架線経路の末端部における引き留め箇所での使用手順を説明するもので、（ａ）はメッセンジャーワイヤーと光ファイバーケーブルとを分離し、メッセンジャーワイヤーを挟み込んだときの斜視図、（ｂ）はメッセンジャーワイヤーの把持時の斜視図、（ｃ）は弛度調整後の使用状態の斜視図である。
【図４】同じく架線途中部における弛度調整後の使用状態の斜視図である。
【図５】本発明を実施するための他の実施の形態における分解斜視図である。
【図６】同じくケーブルの把持、使用状態を示す側断面図である。
【図７】同じく架線経路の末端部における引き留め箇所での使用時における弛度調整時の斜視図である。
【図８】同じく架線途中部における弛度調整後の使用状態の斜視図である。
【符号の説明】
【００３２】
Ａ…支持アーム                          Ｂ…バンド金具
Ｂ１…連繋ピン                          Ｃ…多心ドロップケーブル
Ｆ…光ファイバーケーブル                Ｍ…メッセンジャーワイヤー
Ｐ…支持柱
１…挿入把持部材                        ２…ベース盤
２Ａ，２Ｂ…挿通孔                      ２Ｃ…係合突部
３…支持盤                              ３Ａ…挿通孔
４…挿入溝部                            ５…ネジ材
６…銜え込み材
１１…挿入把持部材                      １２…ベース盤
１３…銜え込み支持盤                    １４…銜え込み面
１５…ネジ材
２０…固定部材                          ２１…ループ部
２２…連繋部                            ２３…固定ナット材
【図１】
2006158102.tif 000003
【図２】
2006158102.tif 000004
【図３】
2006158102.tif 000005
【図４】
2006158102.tif 000006
【図５】
2006158102.tif 000007
【図６】
2006158102.tif 000008
【図７】
2006158102.tif 000009
【図８】
2006158102.tif 000010